(57)【要約】【課題】この発明は、つる性植物を育成用の容器内で育成する場合に、植物のつるの先端に常に空間を有し、つるの先端の成長を阻害しないような育成容器を提供することを目的とする。【解決手段】この発明の小型植物栽培装置は、直立型円筒状容器、該円筒状容器の中心部及び周辺部に直立して設けられた蛍光灯及び該円筒状容器の底部に設けられた水耕栽培装置からなり、蛍光灯により上記円筒状容器内でつる性植物を育成する。そして、前記円筒状容器の側面が、透明な樹脂で形成されており、前記蛍光灯が前記円筒状容器の周辺部３箇所に設けられていて、前記つる性植物を中心部及び周辺部の両面から照明する。【選択図】　　　図１
2004097012.tif 000002
【特許請求の範囲】
【請求項１】
直立型円筒状容器、該円筒状容器の中心部及び周辺部に直立して設けられた蛍光灯及び該円筒状容器の底部に設けられた水耕栽培装置からなり、蛍光灯により上記円筒状容器内でつる性植物を育成することを特徴とする小型植物栽培装置。
【請求項２】
前記円筒状容器の側面が、透明な樹脂で形成されていることを特徴とする前記請求項１記載の小型植物栽培装置。
【請求項３】
前記蛍光灯が前記円筒状容器の周辺部３箇所に設けられていて、前記つる性植物を中心部及び周辺部の両面から照明することを特徴とする前記請求項１または２記載の小型植物栽培装置。
【請求項４】
前記円筒状容器の中心部の上蓋の底面から容器の中程途中まで垂下する透明の樹脂製筒が設けられており、前記中心部の蛍光灯が該樹脂製筒に内部に設けられていることを特徴とする前記請求項１〜３の内、いずれか１項に記載の小型植物栽培装置。
【請求項５】
前記中心部に垂下する樹脂製筒を介して、前記円筒状容器内の空気を外に排気させることを特徴とする前記請求項４に記載の小型植物栽培装置。
【請求項６】
前記つる性植物がトマトであり、該トマトを前記円筒状容器内に前記中心部の周りに螺旋状に成長させることを特徴とする前記請求項１〜５のうち、いずれか１項記載の小型植物栽培装置。
【発明の詳細な説明】
【０００１】
【発明の属する技術分野】
この発明は、人工光源により、野菜類や花、草等を水耕栽培する植物栽培装置、特に鑑賞用にもなるトマト等のつる性植物の育成装置に関する。
【０００２】
【従来の技術】
天然土壌と太陽光線を利用しないで植物を生育させる水耕栽培装置は数々知られている。
【０００３】
例えば、特公平６−６１１９０号公報、特開平７−５０９２９号公報、特開平７−５０９４１号公報は同じ出願人の提案した小型栽培容器に関するものである。上記した従来の発明は、水耕栽培の光源として蛍光灯を使用し、必要に応じて栽培室内の雰囲気を、炭酸ガスの濃度を５００ｐｐｍ以上、好ましくは１，０００〜５，０００ｐｐｍに維持するようにしたものである。
【０００４】
しかし、トマトやキューリといったつる性の植物はつるの成長が早く、直ぐ天井に到達し、あるいは横に這って繁茂し、肝心の成長点のあるつるの先端が痛みやすい欠点があった。
【０００５】
【発明が解決しようとする課題】
この発明は、つる性植物を育成用の容器内で育成する場合に、植物のつるの先端に常に空間を有し、つるの先端の成長を阻害しないような育成容器を提供することを目的とする。
【０００６】
また、該容器は、観賞用にも適し、透明で中の植物の育成状態を容易に観察できると共に、デザイン的にも美的センスに満ち、室内装飾にも適した形状の植物栽培容器を提供することを目的とする。
【０００７】
【課題を解決するための手段】
上記課題を解決するために、この発明の小型植物栽培装置は、直立型円筒状容器、該円筒状容器の中心部及び周辺部に直立して設けられた蛍光灯及び該円筒状容器の底部に設けられた水耕栽培装置からなり、蛍光灯により上記円筒状容器内でつる性植物を育成することを特徴とする。
【０００８】
そして、前記円筒状容器の側面が、透明な樹脂で形成されており、前記蛍光灯が前記円筒状容器の周辺部３箇所に設けられていて、前記つる性植物を中心部及び周辺部の両面から照明することを特徴とする。
【０００９】
また、前記円筒状容器の中心部の上蓋の底面から容器の中程途中まで垂下する透明の樹脂製筒が設けられており、前記中心部の蛍光灯が該樹脂製筒に内部に設けられていること、さらに前記中心部に垂下する樹脂製筒を介して、前記円筒状容器内の空気を外に排気させることを特徴とする。また、前記つる性植物がトマトであり、該トマトを前記円筒状容器内に前記中心部の周りに螺旋状に成長させることを特徴とする。
【００１０】
【発明の実施の形態】
以下に本発明を図面の実施例に基づいて詳細に説明する。
図１は本発明に用いられる植物栽培装置の実施例を示す全体構成図である。
【００１１】
図１において、本発明の植物栽培装置の容器１は、アクリル樹脂製の透明な外壁２、基台８、上蓋１０から構成される直立円筒状の形状となっている。図示されないが、アクリル樹脂製の透明な外壁２は４分割されていて、断面１／４円の板状外壁を繋ぎ合わせて、円筒状の外壁を形成している。完成後の円筒状容器１の直径は約１１０ｃｍ、高さは約１７０ｃｍである。ただし、上蓋、基台の部分が約１０ｃｍあるので、透明なアクリル製外壁の高さは、正味約１５０ｃｍとなる。
【００１２】
基台８の内部には、水耕栽培装置が設けられている。図１においては、該水耕栽培植物として、トマト９が示されている。実施例の上蓋１０，基台８はステンレス製等の金属製であるが、他のものでもよい。上記円筒状容器１の内部には、その中心部及び周辺部に蛍光灯３，４，５，６が上記円筒状容器の外壁に平行して直立する形で設けれている。
【００１３】
なお、上記容器中心部には、別途透明なアクリル樹脂製の筒７が設けられており、中心部の蛍光灯６は、その中に設置され、該蛍光灯６は該筒７で覆われた状態となっている。周辺部の蛍光灯３，４，５、あるいはそれを支持する支持部は前記容器１の底にまで達していてもよいが、中心部の上記筒７は、容器１の中程まで垂下した形で取り付けれている。該筒７の上部上蓋付近にはファンが設けられていて、常時容器内の空気を外部に吸い出して排気している。
【００１４】
栽培される植物９はトマトやキューリといったつる製の植物であり、容器天井からは該つる性植物を誘導するための紐１１，１２が、適宜設けられている。植物９は、中心部蛍光灯６と周辺部蛍光灯３，４，５とにより両方から光を照射されて成長する。該植物の成長につれて、そのつるは紐１１，１２等に適宜固定され、容器内を上に向かって成長する。
【００１５】
しかし、つるの成長は速く、トマト等は、実を付ける前に直ぐ天井に到達してしまう。そこで、植物の成長に合わせ、強制的に職部全体を容器内の下方に押し下げ、常に植物の先端部に空間があるようにコントロールする。特に、トマト等は、一度実を付けた部分は再度実を付けることはなく、葉ばかりとなるので、枯れない程度に下の方に押し固めても問題はない。また、つるは容器内を螺旋状に誘導することが、より効率的に空間を利用できるので好ましい。
【００１６】
外壁２は、透明であり外部から中の植物を観賞できる。また、本発明の水耕栽培は、発熱量を抑え、低温発酵の蛍光灯で照明する効率の良い水耕栽培なので、植物が蛍光灯に接触しても熱枯れを起こすことはない。従って、周辺部の蛍光灯は、覆いがなく、むき出しの状態となっている。
【００１７】
【発明の効果】
以上の栽培装置を用い、植物としてはトマトを用いて栽培したら、植物の成長が十分行われ、しかも熱障害もなく、無農薬でかつおいしいトマトを収穫することができた。
【００１８】
該植物栽培装置は、外壁が透明アクリル製で内部が鑑賞でき、形状も円筒形で展示用にも適している。トマトは成長により、適宜新鮮な状態で採取でき、無農薬なので旬の時期には室内でつかみ取りしたものをそのまま食することができる。
【図面の簡単な説明】
【図１】この発明に用いられる栽培槽装置の全体図を示すものである。
【符号の説明】
１　　　栽培容器
２　　　外壁
３　　　蛍光灯
４　　　蛍光灯
５　　　蛍光灯
６　　　蛍光灯
８　　　基台
１０　　　上蓋
【図１】
2004097012.tif 000003